(57)【要約】【課題】めくりベルトへの吸着力付与手段として帯電ブレードを採用するにあたり、接触させたり離間させたりする手段などを設けることにより、帯電ブレードの使用を可能にして、吸着性能向上を実現する。【解決手段】見開かれて載置された本原稿ＢＯの最上位頁２５４を吸着して分離するための吸着力をめくりベルト２０８に接触して付与する帯電ブレード３３０と、ベルトユニット３１６の平面部が本原稿の原稿面上から離間し、平面部に吸着された最上位頁を頁送りローラ側へと送り込む第１の位置と、平面部が本原稿の原稿面上に接触する第２の位置とにベルトユニットを変位させるベルトユニット変位機構３３７と、ベルトユニットが第２の位置を占めた状態で、帯電ブレードがめくりベルト２０８と接触する接触位置と、帯電ブレードがめくりベルトから離間した離間位置とに帯電ブレードを変位させる帯電ブレード変位機構３１７とを備える。【選択図】図１２
2015221546.tif 000002
【特許請求の範囲】
【請求項１】
本原稿を載置する原稿台と、
前記原稿台上に見開かれて載置された本原稿の原稿面上を一方向に移動することによって前記本原稿の頁めくりを行う頁めくり手段と、
前記頁めくり手段を支持し、前記本原稿上を前記一方向及び該一方向とは逆の逆方向に移動可能なユニットと、
を有し、
前記ユニットの往復動によって前記本原稿の頁めくりを行う本原稿頁めくり装置であって、
前記頁めくり手段は、
誘電体シートより構成されるベルト状部材と、
前記ベルト状部材の下面に平面部を形成するように前記ベルト状部材を支持するベルト支持手段と、
前記ユニットの前記一方向への移動時に前記ベルト状部材の前記下面を前記逆方向に移動させるベルト駆動手段と、
前記見開かれて載置された本原稿の最上頁を吸着して分離するための吸着力を前記ベルト状部材に接触して付与するブレード状の吸着力付与手段と、
前記吸着力付与手段により吸着分離された前記最上頁を保持する頁保持手段と、
前記平面部が前記本原稿の原稿面上から離間し、前記平面部に吸着された前記最上頁を前記頁保持手段側へと送り込む第１の位置と、前記平面部が前記本原稿の原稿面上に接触する第２の位置とに前記ベルト支持手段を変位させる第１の変位手段と、
前記ベルト支持手段が第２の位置を占めた状態で、前記吸着力付与手段が前記ベルト状部材と接触する接触位置と、前記吸着力付与手段が前記ベルト状部材から離間した離間位置とに前記吸着力付与手段を変位させる第２の変位手段と、
を備え、
第１の変位手段により前記ベルト支持手段が第１の位置を占めている状態では、第２の変位手段により前記吸着力付与手段が前記離間位置を占める本原稿頁めくり装置。
【請求項２】
本原稿を載置する原稿台と、
前記原稿台上に見開かれて載置された本原稿の原稿面上を一方向に移動することによって前記本原稿の頁めくりを行う頁めくり手段と、
前記頁めくり手段を支持し、前記本原稿上を前記一方向及び該一方向とは逆の逆方向に移動可能なユニットと、
を有し、
前記ユニットの往復動によって前記本原稿の頁めくりを行う本原稿頁めくり装置であって、
前記頁めくり手段は、
誘電体シートより構成されるベルト状部材と、
前記ベルト状部材の下面に平面部を形成するように前記ベルト状部材を支持するベルト支持手段と、
前記ユニットの前記一方向への移動時に前記ベルト状部材の前記下面を前記逆方向に移動させるベルト駆動手段と、
前記見開かれて載置された本原稿の最上頁を吸着して分離するための吸着力を前記ベルト状部材に接触して付与するブレード状の吸着力付与手段と、
前記吸着力付与手段により吸着分離された前記最上頁を保持する頁保持手段と、
前記平面部が前記本原稿の原稿面上から離間し、前記平面部に吸着された前記最上頁を前記頁保持手段側へと送り込む第１の位置と、前記平面部が前記本原稿の原稿面上に接触する第２の位置とに前記ベルト支持手段を変位させる第１の変位動作、及び前記ベルト支持手段が第２の位置を占めた状態で、前記吸着力付与手段が前記ベルト状部材と接触する接触位置と、前記吸着力付与手段が前記ベルト状部材から離間した離間位置とに前記吸着力付与手段を変位させる第２の変位動作とを行う単一の変位手段と、
を備え、
第１の変位動作により前記ベルト支持手段が第１の位置を占めている状態では、第２の変位動作により前記吸着力付与手段が前記離間位置を占める本原稿頁めくり装置。
【請求項３】
前記変位手段は、単一の駆動源を備えることを特徴とする請求項２記載の本原稿頁めくり装置。
【請求項４】
前記吸着力付与手段が、帯電ブレードであることを特徴とする請求項１ないし３の何れか１つに記載の本原稿頁めくり装置。
【請求項５】
請求項１ないし４の何れか１つに記載の本原稿頁めくり装置と、
前記原稿台上に見開かれて載置された本原稿の原稿面上を前記逆方向に露光走査して前記本原稿面の画像を読み取る本原稿読取手段と、
を備えることを特徴とする本原稿頁めくり読取装置。
【発明の詳細な説明】
【技術分野】
【０００１】
本発明は、本原稿頁めくり装置及び本原稿頁めくり読取装置に関する。
【背景技術】
【０００２】
本原稿を電子化する場合、綴じ部を分離・裁断せずに綴じられたままで本原稿画像の読取作業を行いたいという要求がある。この要求に応えるべく、本原稿の頁めくり及び本原稿の読み取り走査を自動的に行う本原稿頁めくり読取装置が提案されている（例えば、特許文献１参照）。この装置では、誘電体シートより構成されるめくりベルトを帯電させることにより、本原稿の最上頁を吸着し、頁を１枚ずつめくる方式を採用している。
この方式の場合、本原稿の見開き頁を往復移動動作する走査ユニット（キャリッジ）に、頁をめくるための吸着手段と画像読取手段を備えている。吸着手段として使われているめくりベルトは、頁めくり動作中と読取動作中とは互いに逆方向に移動するようになっている。つまり、この装置の場合、めくりベルトは、一方向及びこの一方向とは反対の逆方向の両方向に移動するようになっている。
【０００３】
複写機、プリンタ等の給紙や、搬送装置において、ベルトを帯電させて吸着力を付与する手段として帯電ブレードを用いる技術が知られている（例えば、特許文献２参照）。このような複写機、プリンタ等の給紙や、搬送装置にめくりベルトを使用する場合は、めくりベルトの走行は１方向に限られる。しかしながら、往復移動動作する走査ユニットに、頁をめくるための吸着手段を備えた本原稿読取装置の場合では、めくりベルトは原稿との不要な摩擦を避けるために、走査ユニット移動動作に合わせて移動方向が変化する。
原稿を確実に吸着させるためにめくりベルトに形成する帯電パターンは、一般的にピッチを小さくした方がよいことが知られている。そのため、めくりベルトに吸着力を付与する吸着力付与手段としては、ローラ状部材（以下、具体的には「帯電ローラ」という）よりもブレード状部材（以下、具体的には「帯電ブレード」という）を使用した方が有利である。
【発明の概要】
【発明が解決しようとする課題】
【０００４】
しかしながら、めくりベルトの移動方向が一方向のみの場合は、帯電ブレードの先端エッジ部（以下、単に「先端部」ともいう）をめくりベルトに当接させても問題ないが、逆方向にも移動するとなると、帯電ブレードの先端部がカウンター方向にも当接する。これにより、帯電ブレードに対する負荷の増大、帯電ブレードの先端部のめくれ等の問題が生じるため、本原稿頁めくり装置では使うことができなかった。尚、「当接」とは、突き当てた状態に接することを意味する。帯電ブレードの先端部がカウンター方向にも当接することにより、帯電ブレードに対する負荷の増大、帯電ブレードの先端部のめくれ等の問題の説明は、後述の実施形態でも補説する。
【０００５】
本発明は、上述した事情に鑑み、めくりベルトへの吸着力付与手段として帯電ブレードを採用するにあたり、接触させたり離間させたりする手段などを設けることにより、ブレード状の吸着力付与手段の使用を可能にして、吸着性能向上を実現することを目的とする。
【課題を解決するための手段】
【０００６】
上記目的を達成するために、本発明は、本原稿を載置する原稿台と、前記原稿台上に見開かれて載置された本原稿の原稿面上を一方向に移動することによって前記本原稿の頁めくりを行う頁めくり手段と、前記頁めくり手段を支持し、前記本原稿上を前記一方向及び該一方向とは逆の逆方向に移動可能なユニットと、を有し、前記ユニットの往復動によって前記本原稿の頁めくりを行う本原稿頁めくり装置であって、前記頁めくり手段は、誘電体シートより構成されるベルト状部材と、前記ベルト状部材の下面に平面部を形成するように前記ベルト状部材を支持するベルト支持手段と、前記ユニットの前記一方向への移動時に前記ベルト状部材の前記下面を前記逆方向に移動させるベルト駆動手段と、前記見開かれて載置された本原稿の最上頁を吸着して分離するための吸着力を前記ベルト状部材に接触して付与するブレード状の吸着力付与手段と、前記吸着力付与手段により吸着分離された前記最上頁を保持する頁保持手段と、前記平面部が前記本原稿の原稿面上から離間し、前記平面部に吸着された前記最上頁を前記頁保持手段側へと送り込む第１の位置と、前記平面部が前記本原稿の原稿面上に接触する第２の位置とに前記ベルト支持手段を変位させる第１の変位手段と、前記ベルト支持手段が第２の位置を占めた状態で、前記吸着力付与手段が前記ベルト状部材と接触する接触位置と、前記吸着力付与手段が前記ベルト状部材から離間した離間位置とに前記吸着力付与手段を変位させる第２の変位手段と、を備え、第１の変位手段により前記ベルト支持手段が第１の位置を占めている状態では、第２の変位手段により前記吸着力付与手段が前記離間位置を占める本原稿頁めくり装置である。
【発明の効果】
【０００７】
本発明によれば、上記構成により、頁めくり手段を構成するブレード状の吸着力付与手段の採用が可能となり、帯電パターンの細分化により、吸着・頁めくり性能が向上する。
【図面の簡単な説明】
【０００８】
【図１】本発明を適用する本原稿頁めくり読取装置の全体構成を示す断面図である。
【図２】図１の走査ユニットの走査駆動系を装置本体の上部から見た平面図である。
【図３】図１の走査ユニットの構成を示す断面図である。
【図４】図１の走査ユニットのシート巻き取りローラ及びめくりローラの駆動機構を示す側面図である。
【図５】図１の走査ユニットの頁めくり上げ動作を示す走査ユニットの要部の断面図である。
【図６】図１の走査ユニットの頁めくり動作モード時における走査ユニットの左頁画像読み取り位置での遷移図である。
【図７】図１の走査ユニットの頁めくり動作モード時における走査ユニットの右頁画像読み取り完了位置での遷移図である。
【図８】図１の走査ユニットの頁めくり動作モード時における走査ユニットの右頁めくり上げ開始位置での遷移図である。
【図９】図１の走査ユニットの頁めくり動作モード時における走査ユニットの右頁めくり上げ途中の遷移図である。
【図１０】図１の走査ユニットの頁めくり動作モード時における走査ユニットの右頁めくり上げ終了位置での遷移図である。
【図１１】図１の走査ユニットの頁めくり動作モード時における走査ユニットの右頁排出途中の遷移図である。
【図１２】実施形態１に係る走査ユニットの帯電ブレード変位機構及びベルトユニット変位機構の構成及び動作を示す外観斜視図である。
【図１３】（ａ）は、感光体のクリーニングに用いられるクリーニングブレードがトレーリング方向で感光体に当接する状態を、（ｂ）は、同クリーニングブレードがカウンター方向で感光体に当接する状態を、それぞれ示す説明図である。
【図１４】（ａ）〜（ｃ）は、本発明の課題を具体的に説明する図であって、走査ユニットの頁めくり動作開始時において、ベルトユニットの揺動・変位動作及びめくりベルトの動作状態を説明する模式的な遷移図である。
【図１５】実施形態１における走査ユニットの帯電ブレード変位機構の構成及び動作を示す正面図である。
【図１６】実施形態１における走査ユニットの帯電ブレード変位機構及びベルトユニット変位機構の構成及び動作を示す外観斜視図である。
【図１７】実施形態１における走査ユニットの帯電ブレード変位機構及びベルトユニット変位機構の構成及び動作を示す外観斜視図である。
【図１８】実施形態１における走査ユニットの帯電ブレード変位機構及びベルトユニット変位機構の構成及び動作を示す正面図である。
【図１９】実施形態２における走査ユニットの単一の変位機構の構成を前面から見た外観斜視図である。
【図２０】実施形態２における走査ユニットの単一の変位機構の構成を背面から見た外観斜視図である。
【図２１】実施形態２における走査ユニットの単一の変位機構の構成及び動作推移状態を説明する図であって、リフトアップ手段を２点鎖線で示す正面図である。
【図２２】実施形態２における走査ユニットの単一の変位機構の構成及び動作推移状態を説明する図であって、リフトアップ手段を２点鎖線で示す正面図である。
【図２３】実施形態２における走査ユニットの単一の変位機構の構成及び動作推移状態を説明する図であって、リフトアップ手段を２点鎖線で示す正面図である。
【図２４】実施形態２における走査ユニットの単一の変位機構の構成を補足する図であって、一部破断して示す外観斜視図である。
【図２５】実施形態２における走査ユニットの単一の変位機構の構成を補足する図であって、リフトアップ手段を除去して示す外観斜視図である。
【発明を実施するための形態】
【０００９】
以下、図を参照して実施例を含む本発明の実施の形態を詳細に説明する。各実施形態等に亘り、同一の機能および形状等を有する構成要素（部材や構成部品）等については、混同の虞がない限り一度説明した後では同一符号を付すことによりその説明を省略する。図および説明の簡明化を図るため、図に表されるべき構成要素であっても、その図において特別に説明する必要がない構成要素は適宜断わりなく省略することがある。公開特許公報等の構成要素を引用して説明する場合は、その符号に括弧を付して示し、各実施形態等のそれと区別するものとする。
【００１０】
まず、図１〜図１１を参照して、本発明を適用する従来の本原稿頁めくり読取装置を説明する。これは、上記背景技術及び上記発明が解決しようとする課題で説明した技術内容を理解しやすくするためのものである。図１〜図１１に示す本原稿頁めくり読取装置の構成及び動作は、本出願人が提案した特許文献１の段落[００１０]〜[００４８]及び図１〜図１６に記載されている頁めくり読み取り装置の技術内容とほぼ同様である。図１は、本発明を適用する本原稿頁めくり読取装置の全体構成を示す断面図である。
先ず、図１を参照して、本原稿頁めくり読取装置の要部構成について説明する。この本原稿頁めくり読取装置の装置本体の上半分は、スキャナユニット３０になっている。スキャナユニット３０を構成する走査ユニット２００は、このスキャナユニット３０の内部を図１において左右方向に走行して、原稿台１上に見開かれて載置された本原稿ＢＯの走査を行う。
【００１１】
図２は、スキャナユニット３０における走査ユニット２００の走査駆動系を装置本体の上部から見た平面図である。図２において、装置本体の奥側にタイミングベルト３１２がプーリ３０４と３段プーリ３０２によって、装置本体の手前側にタイミングベルト３１３がプーリ３０５と２段プーリ３０６によって、それぞれ左右方向に張られている。ここで、プーリ３０４とプーリ３０５の回転軸は、それぞれバネ３０７とバネ３０８によって支持され、各タイミングベルト３１２，３１３に所定の張力を与えている。３段プーリ３０２は、タイミングベルト３１０でモータプーリ３０１と、また、タイミングベルト３１１で２段プーリ３０６とそれぞれ連結されている。タイミングベルト３１１は、アイドラ３０３をバネ３０９で外側に引くことで所定の張力を得ている。
走査ユニット２００は、その奥側と手前側とがクランプ３１５により各タイミングベルト３１２，３１３にそれぞれ固定され、モータプーリ３０１の回転軸を駆動するスキャナモータ１０６の回転により、各タイミングベルト３１２，３１３を介して駆動される。スキャナモータ１０６は、走査ユニット２００の露光走査する方向である一方向（図１等において右方向）への移動時に後述する図３等に示すめくりベルト２０８の下面を逆方向に移動させるベルト駆動手段として機能する。また、スキャナモータ１０６は、走査ユニット２００を往復移動させるユニット駆動手段としても機能する。
【００１２】
図３及び図４を参照して、走査ユニット２００の構成、シート巻き取りローラ及びめくりローラの駆動機構を説明する。図３は、スキャナユニット３０における走査ユニット２００の構成を示す断面図である。図４は、スキャナユニット３０における走査ユニット２００のシート巻き取りローラ及びめくりローラの駆動機構を示す側面図である。
図３において、走査ユニット２００の下側の左右には、原稿押えローラ２８１ａ，２８１ｂが、また、その外側にはシート巻き取りローラ２８０ａ，２８０ｂが、それぞれ回転自在に軸支（軸で回転可能に支持することを意味する）されている。各シート巻き取りローラ２８０ａ，２８０ｂには、左右独立した原稿押えシート２８２ａ，２８２ｂのそれぞれの中央側の端部が巻き取られている。そして、各原稿押えシート２８２ａ，２８２ｂのそれぞれの外側の端部は、スキャナユニット３０の側板(図示せず)にそれぞれ固定されている。
尚、原稿押えシート２８２ａ，２８２ｂは、特許文献１で開示されていると同様の材質で形成されていて、その表面に残留したクロスの凹凸跡により、帯電による吸着力が作用しにくい構造を有している。図３において、２２９は、走査ユニット２００の筐体ケースを示す。筐体ケースには、上記した原稿押えローラ２８１ａ，２８１ｂ、シート巻き取りローラ２８０ａ，２８０ｂ及び後述する構成部品等が収納されている。
【００１３】
図４に示すように、各巻き取りローラ軸２５１ａ，２５１ｂの外側端部には、シート巻き取りギヤ２３２ａ，２３２ｂが固定されている。これらのシート巻き取りギヤ２３２ａ，２３２ｂは、スキャナユニット３０の上記側板に左右両端を固定され、ほぼ全長に亘って歯を有する駆動ラック２３１に、各アイドルギヤ２３３ａ，２３３ｂを介して、それぞれ噛み合っている。これにより、図４において走査ユニット２００が左又は右方向に移動・走行すると、各アイドルギヤ２３３ａ，２３３ｂと共に各シート巻き取りギヤ２３２ａ，２３２ｂが回転する。そして、各シート巻き取りローラ２８０ａ，２８０ｂを介して、各原稿押えシート２８２ａ，２８２ｂの引き出し及び巻き取りが行われ、左右のシート巻き取りローラ２８０ａ，２８０ｂの張力が、常時、ほぼ一定に維持される。
【００１４】
一方、図３に示すように、各原稿押えローラ２８１ａ，２８１ｂの間には、本原稿読み取り用のプラテンガラス２０５と、本原稿頁めくり用のめくりベルト２０８が配設（配置して設けること、又は位置を決めて設けることを意味する）されている。このプラテンガラス２０５の内側には、図３に示すように、本原稿照明用の２本のランプ２０１，２０２が、本原稿読み取り部の左右にそれぞれ配置されている。これらのランプ２０１，２０２によって照明された本原稿像は、図３において、第１ミラー２１９に反射した後、第２ミラー２２０と第３ミラー２２１に交互に反射し、最後にレンズ２１６を透過して、ＣＣＤ１０１上に縮小結像される。
尚、図３において、２２２は、図１に示すコンタクトガラス２０６上にセットされた原稿ＳＯを読み取る場合に使用される、走査ユニット２００の読み取り光路から外れた位置に待避している切り換えミラーを示す。２０３，２０４は、コンタクトガラス２０６上にセットされた原稿ＳＯを照明するランプを示す。Ｘａは、本原稿ＢＯの最上位頁をめくる際の頁めくり方向を、Ｘｂは、本原稿ＢＯの見開き原稿面画像を読み取る際の露光方向を、それぞれ示す。
【００１５】
めくりベルト２０８は、めくりベルト駆動ローラ２２３とめくりローラ２２４とに掛け渡されており、このめくりベルト２０８の上側の、めくりベルト駆動ローラ２２３から少し離れた部位の外側には、帯電ローラ２２５が接触して配置されている。めくりベルト２０８、めくりベルト駆動ローラ２２３及びめくりローラ２２４は、原稿台１上に見開かれて載置された本原稿ＢＯの原稿面上を頁めくり方向Ｘａに移動することによって本原稿ＢＯの頁めくりを行う頁めくり手段として機能する。
更に、めくりベルト駆動ローラ２２３の駆動軸端部には、図４に示すように、めくりベルト駆動ギヤ２３４が固定されている。このめくりベルト駆動ギヤ２３４は、アイドルギヤ２３５を介して、駆動ラック２３１に噛み合っている。これにより、走査ユニット２００が走行すると、駆動ラック２３１に沿って、アイドルギヤ２３５と共にめくりベルト駆動ギヤ２３４が回転し、めくりベルト駆動ローラ２２３の回転により、走査ユニット２００の移動速度と同じ速度でめくりベルト２０８が回転する。
【００１６】
次に、図５〜図１１を参照して、スキャナユニット３０のめくり動作について説明する。図５は、走査ユニット２００の頁めくり上げ動作を示す走査ユニット２００の要部の断面図である。図６〜図１１は、走査ユニット２００の頁めくり動作モード時における走査ユニットの後述する各位置での遷移図である。
めくりベルト２０８は、誘電体シートより構成されている。めくりベルト２０８は、具体的には材質が、ＰＥＴ、ＰＣ、ＰＶＣなどの誘電性の高い樹脂からなり、その表面層が表面抵抗１０１４Ω以上の高抵抗フィルム、その裏面層が表面抵抗１０８Ω以下の低抵抗フィルムからなる二重構造の樹脂フィルムで構成されている。
【００１７】
また、めくりベルト駆動ローラ２２３は、接地された金属ローラの表面に導電性ゴムを被覆したローラで構成されており、確実なベルト駆動とアースを実現している。めくりベルト２０８への吸着力付与は、例えば、帯電ローラ２２５に高電圧をかけることによって行う。帯電ローラ２２５は、金属ローラ又は金属ローラの表面に導電性ゴムを被覆したローラで構成されている。
以下、図５に示すように、めくりベルト２０８、めくりベルト駆動ローラ２２３及びめくりローラ２２４のアッセンブリ（組立品）を、説明の便宜上からベルトユニット３１６という。ベルトユニット３１６には、めくりベルト２０８の下面に平面部（原稿押えシート２８２ａ，２８２ｂを介して本原稿ＢＯの原稿面に当接する部位）を形成するようにめくりベルト２０８を支持するベルト支持手段が含まれる。このベルト支持手段は、めくりベルト駆動ローラ２２３及びめくりローラ２２４で構成されている。また、ベルトユニット３１６には、図３や図５等においてその図示を省略しているが、めくりベルト駆動ローラ２２３及びめくりローラ２２４の各回転軸の各軸端部を回動可能に支持する一対のユニット側板（図１２等に示すユニット側板３５０参照）が含まれる。更に詳しくは、これら一対のユニット側板は、めくりベルト駆動ローラ２２３及びめくりローラ２２４の各回転軸の各軸端部を回動可能に支持する軸受(図示せず)を支持するようになっている。尚、「回動」とは、正逆方向に運動することを意味する。
【００１８】
図５において、走査ユニット２００を走行させ、めくりベルト２０８を駆動しながら、後述するタイミングに合わせて切り換えスイッチ２５３ａをオンし、帯電ローラ２２５に交流電源２５３から±２ｋＶの高電圧をかける。すると、めくりベルト２０８の表面上に交番電界が生じ、この交番電界の作用により、このめくりベルト２０８の表面に、接触した本原稿ＢＯの最上位頁２５４を吸着させる吸着力が発生する。
【００１９】
原稿の読み取り動作がスタートされると、スキャナユニット３０の左端の端部ホームポジションにいた走査ユニット２００が、図６に示すように、逆方向としての露光方向（図６において右方向）に走行を始める。この時、めくりベルト２０８と頁送りローラ２５０とが、図５の実線で示す位置に図示しないソレノイドを備えた機構（以下、単に「ソレノイド」ともいう）で移動される。そして、走査ユニット２００のプラテンガラス２０５の原稿読み取り位置が本原稿ＢＯの左頁にかかると、図６に示すように、走査ユニット２００の光学系が、この本原稿ＢＯの読み取り動作を始め、本原稿ＢＯの原稿面を左頁から右頁へと読み取っていく。ここでの走査ユニット２００の読み取り開始位置は、本原稿ＢＯの大きさ（サイズ）によって変わる。
【００２０】
このようにして、走査ユニット２００の光学系が、本原稿ＢＯの左頁から右頁へと、その原稿面を読み取っていく。この図６に示す読み取り動作中は、めくりベルト２０８と頁送りローラ２５０とが、上記図示しないソレノイドによって図５の実線で示す位置に保持されている。そして、本原稿ＢＯの右頁の端まで読み終えると、図７に示すように、走査ユニット２００の原稿走査方向が逆転される。この時、図７に示すように、めくりベルト２０８と頁送りローラ２５０とが、図５の破線で示す位置に上記図示しないソレノイドによって移動・変位される。頁送りローラ２５０は、吸着力付与手段（ここでは帯電ローラ２２５）により吸着分離された本原稿ＢＯの最上位頁２５４を保持する頁保持手段として機能する。
【００２１】
走査ユニット２００の原稿走査方向が逆転された後、図８に示すように、めくりベルト２０８と頁送りローラ２５０とは、上記図示しないソレノイドによって図５の実線で示す位置に移動・変位される。これとほぼ同時に、交流電源２５３が駆動されて、所定の周波数の交流高電圧が帯電ローラ２２５にかけられ、めくりベルト２０８の表面上に電荷パターンが形成される。こうして、図８に示すように、読み取りを終えた本原稿ＢＯの右頁の頁めくり動作が開始される。
【００２２】
本原稿ＢＯの頁めくりを始めるときには、めくりベルト２０８と、後述の頁送りローラ２５０とが図５の破線で示す位置にあって、この頁めくり動作に先行して、めくりベルト２０８の表面上に形成された帯電パターン部が本原稿ＢＯの最上位頁２５４の上に重なる。そして、この最上位頁２５４の先端が、めくりベルト２０８の下側の中央を越えたところで、図８に示すように、めくりベルト２０８と頁送りローラ２５０とは、上記図示しないソレノイドの作用によって図５の実線で示す位置に移動・変位される。
【００２３】
めくりベルト２０８と頁送りローラ２５０との図５の実線で示す位置への移動・変位タイミングは、本原稿ＢＯの大きさ（サイズ）によって変わる。具体的には、特許文献１の段落[００３８]及び図２５に記載されているように、オペレータによる操作表示制御部（１１１）からの本原稿サイズ入力又は図示しないサイズ検知手段によってＴＰＳ制御ボード（１１０）でコントロールされる。また、めくりローラ２２４と頁送りローラ２５０との形状・寸法関係等については、特許文献１の段落［００５７］〜［００６０］及び図２１、図２２に記載されていると同様である。
尚、上述のように構成された頁送りローラ２５０の動作は、上記図示しないソレノイドに代えて、特許文献１の段落[００６１]及び図２１〜図２４に記載されているトグルジョイント装置を含む機構によって制御するようにしてもよい。
【００２４】
これにより、めくりベルト２０８の表面に形成された電荷パターンの不平等電界による吸着力で、本原稿ＢＯの最上位頁２５４だけが、めくりベルト２０８の表面上に吸着されて、この最上位頁２５４の端部がめくりベルト２０８と共に持ち上げられる。
この不平等電界による吸着力は、最上位頁２５４以外の頁を吸着させない特徴を有している。具体的には、特許文献１の段落[００４０]及び図１７に記載されているように、走査ユニット２００を、０．１〜３（ｓｅｃ）の時間だけ停止させ、本原稿ＢＯの最上位頁２５４だけの吸着を確実にする手段を備えてもよい。即ち、この時、めくりベルト２０８の下面の平面部の中央に向けたノズル（４０１）から、ファン（４０２）によってダクト（４０３）内を送られてきた空気が吹き付けられる。そして、この送風によって、何らかの要因で最上位頁２５４に２枚目以降の頁が付着してきた場合に、この２枚目以降の頁が吹き払われる。これにより、本原稿ＢＯの最上位頁２５４だけの吸着がより確実に行われるようになっている。
【００２５】
ここで、めくりベルト２０８への帯電のタイミングについて補説する。本原稿ＢＯの原稿面を読み終えたと同時にリターンする走査ユニット２００のリターン動作と共に、めくりベルト２０８への帯電を開始するように設定されている。この走査ユニット２００のリターン位置又はめくりベルト２０８への帯電開始位置は、本原稿ＢＯの大きさ（サイズ）によって変わる。
上記帯電開始タイミングに限らず、特許文献１の段落[００４１]及び図１８に記載されているように、走査ユニット２００がリターンを始めてから後に、帯電を開始してもよい。また、めくりベルト２０８と頁送りローラ２２４を図５の実線で示す位置に移動させたときに、帯電パターン形成のための高電圧印加を停止する。
【００２６】
上述のように、本原稿ＢＯの最上位頁２５４をめくり上げた後、この状態のまま走査ユニット２００は、図８に示すように、その端部ホームポジションに向けて移動される。そして、この本原稿ＢＯの最上位頁２５４は、図９に示すように、めくりベルト２０８を介して、めくりローラ２２４と頁送りローラ２５０とに挾まれて確実に搬送される。こうして本原稿ＢＯの最上位頁２５４は、走査ユニット２００の右側部に配置された上下一対の頁ガイド２２７，２２８の間を通過して、走査ユニット２００の右外側にその先端側が送り出される。
【００２７】
この時、図３に示すように、走査ユニット２００の上方側の頁ガイド２２７上に取付けられた頁めくりセンサ２１４が、走査ユニット２００の右外側に送り出された最上位頁２５４を検知することで、最上位頁２５４が正常に頁めくりされたことが判断される。
ここで明らかなように、走査ユニット２００の頁めくり動作によりめくり上げられた最上位頁２５４の原稿頁が、丸められたり折り曲げられたりせずに自然な姿勢に保持される。これにより、めくり上げた原稿頁を傷めることがなく、また、めくり上げた原稿頁を収納するための頁収納手段を走査ユニット２００内に配設する必要がないので、走査ユニット２００を小型化できる。
【００２８】
次いで、図１０に示すように、本原稿ＢＯの最上位頁２５４を本原稿の綴じ部ＢＯａまでめくり上げた時点で、めくりベルト２０８と頁送りローラ２５０を元の位置（図５の破線位置）に戻す。この状態で、走査ユニット２００が更にその端部ホームポジションに向けて移動すると、図１１に示すように、めくり上げた最上位頁２５４の原稿頁が、本原稿の綴じ部ＢＯａに引っ張られて、一対の頁ガイド２２７，２２８の間を戻りながら、本原稿ＢＯの左頁上に重ね合わされるようにして走査ユニット２００内から排出される。
【００２９】
このようにして、めくり上げられた最上位頁２５４の原稿頁が本原稿ＢＯの左頁上に全て重ね合わされると、走査ユニット２００の見開き原稿に対する１回分の原稿読み取り・頁めくり動作が終了する。
ここで、本原稿ＢＯに対する原稿読み取り・頁めくり動作を繰り返し実行したり、原稿読み取り又は頁めくり動作の何れか一方の動作のみを繰り返し実行したりする場合には、上述のように、めくり上げられた原稿頁が本原稿ＢＯの左頁上に全て重ね合わされると同時に走査ユニット２００の移動方向を反転させて、本原稿の原稿面に対して最短コースで走査ユニット２００の往復動作を繰り返す。
【００３０】
ところで、上述した動作を機能的に考察してみると、めくりベルト２０８は、原稿頁を吸着するのに使用する範囲のみ、吸着力を保持していればよいと言える。つまり、吸着力付与手段（上記従来例では、例えば帯電ローラ２２５が相当する）は、常時、めくりベルト２０８に接触して吸着力を与える必要はない。むしろ、必要以外の間は、めくりベルト２０８から離間状態にある方が、当該部品の耐久性向上、汚れ防止の観点から望ましいと言える。
【００３１】
（実施形態１）
図１２〜図１８を参照して、本発明の実施形態１について説明する。まず、図１２を参照して、実施形態１に係る本原稿頁めくり読取装置のスキャナユニットにおける走査ユニットの要部構成を説明する。
実施形態１は、図１〜図１１に示した従来の本原稿頁めくり読取装置のスキャナユニット３０における走査ユニット２００と比較して、走査ユニット２００に代えて、図１２に示す走査ユニット２００Ａを用いる点のみ相違する。走査ユニット２００Ａは、走査ユニット２００と比較して、帯電ローラ２２５に代えて、帯電ブレード３３０を備える点、後で詳述する帯電ブレード変位機構３１７を備える点、後で詳述するベルトユニット変位機構３３７を備える点が主に相違する。
帯電ブレード３３０は、見開かれて載置された本原稿ＢＯの最上位頁２５４を吸着して分離するための吸着力をベルト状部材としてのめくりベルト２０８に接触して付与するブレード状の吸着力付与手段として機能する。
【００３２】
帯電ブレード３３０は、めくりベルト２０８と接触可能に、一方向としての頁めくり方向Ｘａ及び逆方向としての露光方向Ｘｂと直交する長手方向Ｙに長く延びて形成されている。帯電ブレード３３０は、導電性弾性部材である、例えば導電性のポリウレタンゴムで形成されている。帯電ブレード３３０の仕様としては、所望する帯電パターンのピッチに適合する厚さ等の形状・寸法と、その耐久性を含む機能を満足する範囲のゴム硬度等を備えたものが用いられる。
【００３３】
ここで、図１３を参照して、吸着力付与手段としての帯電ブレード３３０を採用した事情を補説する。図１３（ａ）は、感光体のクリーニングに用いられるクリーニングブレードがトレーリング方向で感光体に当接する状態を、図１３（ｂ）は、同クリーニングブレードがカウンター方向で感光体に当接する状態を、それぞれ示す説明図である。
本発明の実施形態１及び後述する実施形態２では、誘電体シートより構成される静電吸着式のめくりベルト２０８の帯電に、帯電ブレード３３０を使用している。静電吸着式のベルトの帯電手段としては、従来より導電性のローラ状部材からなる上記したような帯電ローラが多用されている。ベルトと接触する導電性の帯電ローラに高電圧をかけることによりベルトを帯電させることができる。
一方、別の方法としてブレード帯電方式もある。ブレードは、ベルトとの接触面積がローラより小さいため、帯電パターンの間隔を小さくすることができる。静電吸着方式のベルトでは、＋−が交互に並ぶ帯電パターンをベルトに作ることにより紙を吸着させるが、帯電パターンのピッチを小さくした方が、紙の吸着を短時間で安定させることができることが知られている。例えば、帯電ローラでは帯電パターンピッチが４ｍｍ程度であるが、ブレードであると２ｍｍ位にまで小さくできる。
【００３４】
ブレード状の部材（以下、単に「ブレード」ともいう）が多く使用されているのは、図１３に示すように、電子写真方式の画像形成装置で用いられる感光体５００の表面をクリーニングする用途としてである。クリーニング用途でブレードを使用する場合、クリーニングブレード５１０の先端エッジ部を感光体５００の表面に強く接触させる必要があるため、通常、図１３（ｂ）に示すように、図中矢印方向に回転する感光体５００に対してカウンター方向に当接させている。この方式では、クリーニング対象（例えばドラム状の感光体５００）がクリーニングブレード５１０に逆らうように移動するため、両者の間に発生する摩擦力がクリーニングブレード５１０をクリーニング対象に押し付ける方向に作用する。そのため、クリーニングブレード５１０の先端エッジ部が食い込むようになり、クリーニング対象を強くこすり、その表面の付着物を効果的に掻きとることができる。
その反面、両者の摩擦状態を適切に制御できない場合、めくれ、音の問題が発生してしまう。感光体５００の場合、表面に付着したトナーが潤滑剤として機能するので、クリーニング性能を重視してクリーニングブレード５１０をカウンター方向に当接させるのが一般的である。しかしながら、目的がベルトを帯電させる場合では、帯電ブレードを強く接触させる必要はないため、トレーリング方向に当接させるのがよい。この方式では、両者の摩擦力は帯電ブレードが離れる方向に作用するため、負荷の増大、音、めくれ等の問題が発生しないという利点がある。
【００３５】
ここで帯電ブレードを使用することによる利点は、観点を変えてみれば以下のようにも表現できる。まず、ローラのような回転機構がないため、軸受等の部材は不要で構造がシンプルになり、低コスト化、軽量化を実現できる。また、吸着力付与についても以下の利点がある。上述したように、帯電による吸着方式では、＋帯電領域と−帯電領域を交互に並べることにより安定した吸着力を確保でき、その帯電パターン交互の間隔を小さく・細分化することにより、短時間で原稿吸着を安定させることができる。帯電ブレードは、帯電ローラよりもめくりベルトとの接触面積が小さいため、＋帯電領域と−帯電領域の間隔を小さくすることが容易である。従って、頁めくり性能を向上させるためには吸着力付与手段として、帯電ブレードを使用することに利点がある。
【００３６】
しかしながら、本発明のような本原稿頁めくり読取装置においては、帯電ブレードを使用することには以下の問題があった。即ち、転写紙の給紙装置と異なり、本原稿頁めくり読取装置では、めくりベルトは逆方向にも移動する。従って、帯電ブレードをめくりベルトに接触させた場合、帯電ベルトが逆方向に移動するときには、帯電ブレードの先端エッジ部は帯電ベルトに対してカウンター方向に接触することになり、負荷の増大、帯電ブレードのめくれ等の原因となる。
本発明では、帯電ブレードをめくりベルトから離間させる手段を備え、帯電ブレードの先端部が帯電ベルトに対してカウンター方向になる場合には非接触状態を維持できる構成になっている。本実施形態では、走査ユニット２００が図の左から右に移動する場合、つまり原稿読取動作時に帯電ブレードを非接触状態にすることにより、帯電ブレードの先端エッジ部がカウンター方向で帯電ベルトに接触することによる、上記諸問題を避けることができる。即ち、本実施形態では、吸着力付与手段として導電性弾性部材で形成された帯電ブレード３３０を備え、これに高電圧をかけることにより、帯電パターンを細分化してめくりベルト２０８に吸着力を付与し、頁めくり・吸着性能向上に寄与することができる。
【００３７】
図１４を参照して、「発明が解決しようとする課題」欄にて説明した技術事項を補説する。図１４（ａ）、図１４（ｂ）、図１４（ｃ）は、本発明の課題を具体的に説明する図であって、走査ユニットの頁めくり動作開始時において、ベルトユニットの揺動・変位動作及びめくりベルトの動作状態を説明する模式的な遷移図である。
特許文献１の段落[００４０]及び図１７に記載されているように、また上記図７等で説明したように、頁めくり開始動作は走査ユニット２００が一時停止した状態で行われる。即ち、図１４（ａ）において、走査ユニットが一時停止した状態で、ベルトユニット３１６におけるめくりベルト駆動ローラ２２３の回転軸２２３ａを中心として、めくりローラ２２４側が図１４（ｂ）に示すように、持ち上がるように反時計回り方向に揺動する。そして、ベルトユニット３１６が第１の位置を占める。このとき、めくりベルト駆動ローラ２２３が、めくりベルト２０８の上昇角度と同じ角度分回転した場合、同図１４（ｂ）に示すように、めくりベルト２０８に対する帯電ブレード３３０の接触位置は変わらない。
【００３８】
しかしながら、めくりベルト駆動ローラ２２３は走査ユニットの移動と連動（図２〜図４参照）している機構のため、走査ユニットが停止状態のときは回転することができない。従って、めくりベルト２０８に対する帯電ブレード３３０の接触位置は、図１４（ｃ）に示す状態になり、帯電ブレード３３０の先端エッジ部３３０ａはめくりベルト２０８に対してカウンター方向に相対的に移動することとなる。この際、帯電ブレード３３０の先端エッジ部３３０ａの摩擦力が帯電ブレード３３０をめくりベルト２０８に押し付ける方向に作用する。これにより、帯電ブレード３３０に対する負荷の増大、帯電ブレード３３０の先端部のめくれ等の問題が発生してしまうため、本原稿頁めくり装置では使うことができなかった。
この問題を解決するには、ベルトユニット３１６が上昇開始以前、つまりベルトユニット３１６が第１の位置を占めるよりも前に、帯電ブレード３３０のめくりベルト２０８に対する接触状態を解除（めくりベルト２０８から離間）する必要がある。
【００３９】
図１２、図１５〜図１８を参照して、更に実施形態１における走査ユニットの構成及び動作について説明する。図１５は、実施形態１における走査ユニットの帯電ブレード変位機構の構成及び動作（帯電ブレードが接触位置を占めている状態）を示す正面図である。図１６は、実施形態１における走査ユニットの帯電ブレード変位機構の構成及び動作（帯電ブレードが離間位置を占めている状態）を示す正面図である。図１６は、実施形態１における走査ユニットの帯電ブレード変位機構及びベルトユニット変位機構の構成及び動作（帯電ブレードが離間位置を占めている状態）を示す外観斜視図である。図１７は、実施形態１における走査ユニットの帯電ブレード変位機構及びベルトユニット変位機構の構成及び動作（帯電ブレードが離間位置を占め、且つ、ベルトユニットが第１の位置を占めている状態）を示す外観斜視図である。図１８は、実施形態１における走査ユニットの帯電ブレード変位機構及びベルトユニット変位機構の構成及び動作（帯電ブレードが離間位置を占め、且つ、ベルトユニットが第１の位置を占めている状態）を示す正面図である。
【００４０】
実施形態１のベルトユニット３１６について補説する。めくりベルト駆動ローラ２２３の回転軸２２３ａの両端部は、回転軸２２３ａの端部を回動可能に支持する軸受３２１が各ユニット側板３５０に形成された軸受嵌合孔３５０ａに嵌合・固定されていることにより、ユニット側板３５０に回動自在に支持されている。回転軸２２３ａの両端部は、図１２及び図１７に示すように、更に軸受嵌合部から長手方向Ｙに延びて、走査ユニット２００の上記図示しない側板に回動可能に支持・固定され、長手方向Ｙへの抜け止めがなされている。また、めくりローラ２２４の回転軸２２４ａの両端部は、回転軸２２４ａの端部を回動可能に支持する軸受３２２が各ユニット側板３５０に形成された長溝３５０ｂ内に摺動可能に支持されていることにより、ユニット側板３５０に回動自在に支持されている。長溝３５０ｂには、軸受３２２を露光方向Ｘｂに押し付けるバネ３５１が装着されている。これにより、めくりベルト駆動ローラ２２３とめくりローラ２２４とに掛け渡されためくりベルト２０８に所定の張力が付与される。
【００４１】
帯電ブレード変位機構３１７は、帯電ブレード３３０の先端エッジ部３３０ａがめくりベルト２０８と接触する接触位置と、帯電ブレード３３０の先端エッジ部３３０ａがめくりベルト２０８から離間した離間位置とに帯電ブレード３３０を変位させる第２の変位手段として機能する。この機能に着目した場合、帯電ブレード変位機構３１７は、帯電ブレード３３０の先端エッジ部３３０ａをめくりベルト２０８に接触させたり、離間させたりする接離手段ないしは吸着力付与手段用変位手段とも呼べるものである。
【００４２】
帯電ブレード変位機構３１７は、一対のユニット側板３５０、ブレードホルダ３３５、ブレード揺動支点３３１、駆動源としてのソレノイド３１０から主に構成されている。帯電ブレード３３０の基端部（図において上端部）は、その長手方向Ｙに渡り板金製のブレードホルダ３３５に取り付け・固定されている。ブレードホルダ３３５の両端部は、各ユニット側板３５０に回動自在に支持されたブレード揺動支点３３１を中心として、揺動可能に構成されている。
ソレノイド３１０は、プル型であり、図１２において左側のユニット側板３５０に固定されている。ソレノイド３１０のプランジャ３１０ａは、ブレードホルダ３３５から立ち上がるように折り曲げ形成されたホルダ突起部３３５ａに取り付け・連結されている。帯電ブレード３３０は、プランジャ３１０ａとホルダ突起部３３５ａとの間に、図示しないバネを設け、このバネの加圧（付勢）力により、めくりベルト２０８と適度の荷重で接触するようになっている。
尚、ブレードホルダ３３５及び帯電ブレード３３０の自重により、帯電ブレード３３０の先端エッジ部３３０ａがめくりベルト２０８と軽接触するようにしてもよい。
【００４３】
ベルトユニット変位機構３３７は、後述する第１の位置（例えば図１７等に示す位置）と後述する第２の位置（例えば図１２等に示す位置）とにベルトユニット３１６を変位させる第１の変位手段として機能する。この機能に着目した場合、ベルトユニット変位機構３３７は、ベルト支持手段用変位手段とも呼べるものである。
ここで、第１の位置は、図８を借りて説明すると、ベルトユニット３１６の平面部が本原稿ＢＯの原稿面上から離間し、平面部に吸着された最上位頁２５４を頁ガイド２２７，２２８側へと送り込む位置である。第２の位置は、図７や図１１を借りて説明すると、ベルトユニット３１６の平面部が本原稿ＢＯの原稿面上に接触する位置である。
【００４４】
ベルトユニット変位機構３３７は、上昇レバー３２５、支点軸３２６、駆動源としてのソレノイド３３９から主に構成されている。図１２に示すように、上昇レバー３２５は、ほぼＬ字形状をなし、図において下側の一端部は、図において右側のユニット側板３５０の上部に図示しないピンを介して回動可能に取り付け・連結されている。上昇レバー３２５の図において上側の他端部は、ソレノイド３３９に取り付け・連結されている。一方、上昇レバー３２５のＬ字形状をなす曲折部は、走査ユニット２００の上記図示しない側板に固定された支点軸３２６を介して揺動可能に支持されている。
ソレノイド３３９は、プル型であり、走査ユニット２００の上記図示しない側板に固定されている。
【００４５】
帯電ブレード変位機構３１７の動作を説明する。ソレノイド３１０に通電されていない状態では、図１２及び図１５に示すように、帯電ブレード３３０の先端エッジ部３３０ａはめくりベルト２０８と接触した接触位置を占めている。この状態では、ベルトユニット変位機構３３７により、ベルトユニット３１６が第２の位置を占めた状態で、帯電ブレード３３０の先端エッジ部３３０ａがめくりベルト２０８と接触している。この接触位置状態から、ソレノイド３１０に通電されると、図１６に示すように、帯電ブレード３３０を取り付けているブレードホルダ３３５がブレード揺動支点３３１を中心にして、図中矢印Ｕ方向（時計回り方向）に揺動・変位する。これにより、帯電ブレード３３０の先端エッジ部３３０ａがめくりベルト２０８から離間した離間位置を占めることとなる。
【００４６】
次に、ベルトユニット変位機構３３７の動作を説明する。ソレノイド３３９に通電されていない状態では、図１２に示すように、ベルトユニット３１６の平面部が本原稿ＢＯの原稿面上に接触する第２の位置を占めている。この状態から、ソレノイド３３９に通電されると、図１７及び図１８に示すように、プランジャ３３９ａが矢印方向に引き込まれ、上昇レバー３２５の一端部側が支点軸３２６を中心として図中矢印で示す時計回り方向に揺動する。これにより、ベルトユニット３１６及び帯電ブレード変位機構３１７が、めくりベルト駆動ローラ２２３の回転軸２２３ａを中心として、図中矢印で示す反時計回り方向に持ち上げられるように揺動・変位して、ベルトユニット３１６は図１７及び図１８に示す第１の位置を占める。ソレノイド３３９への通電がオフされると、上述したと逆の動作を経過することにより、ベルトユニット３１６は図１２に示す第２の位置を占めることとなる。
【００４７】
上述の帯電ブレード変位機構３１７及びベルトユニット変位機構３３７の動作説明において、それぞれの駆動源であるソレノイド３１０，３３９への通電タイミングは、上記したとおりの適切なタイミングで行われることは無論である。
【００４８】
以上説明したとおり、本実施形態１によれば、頁めくり手段を構成するブレード状の吸着力付与手段として帯電ブレードの採用が可能となり、帯電パターンの細分化により、吸着・頁めくり性能が向上する、という基本的な効果を奏する。また、帯電ブレードに対する負荷の増大、帯電ブレードの先端部のめくれ等の問題が発生せず、当該部品の耐久性向上及び汚れ防止にも寄与することは言うまでもない。
【００４９】
（実施形態２）
図１９〜図２５を参照して、本発明の実施形態２について説明する。図１９は、実施形態２における走査ユニットの単一の変位機構の構成を前面から見た外観斜視図である。図２０は、実施形態２における走査ユニットの単一の変位機構の構成を背面から見た外観斜視図である。図２１は、実施形態２における走査ユニットの単一の変位機構の構成及び動作推移状態を説明する図であって、リフトアップ手段を２点鎖線で透視して示す正面図である。図２２は、実施形態２における走査ユニットの単一の変位機構の構成及び動作推移状態を説明する図であって、リフトアップ手段を２点鎖線で透視して示す正面図である。図２３は、実施形態２における走査ユニットの単一の変位機構の構成及び動作推移状態を説明する図であって、リフトアップ手段を２点鎖線で透視して示す正面図である。図２４は、実施形態２における走査ユニットの単一の変位機構の構成を補足する図であって、帯電ブレード等の一部破断して示す外観斜視図である。図２５は、実施形態２における走査ユニットの単一の変位機構の構成を補足する図であって、リフトアップ手段を除去して示す外観斜視図である。
【００５０】
実施形態２は、図１２、図１５〜図１８に示した実施形態１と比較して、走査ユニット２００Ａに代えて、走査ユニット２００Ｂを用いる点のみ相違する。走査ユニット２００Ｂは、走査ユニット２００Ａと比較して、帯電ブレード変位機構３１７及びベルトユニット変位機構３３７に代えて、これらの変位機構による両変位動作を行う単一の変位手段としての変位機構３４０を備える点が主に相違する。この相違点以外の実施形態２の構成は、実施形態１と同様である。
【００５１】
変位機構３４０は、図１９〜図２５に示すように、ベルトユニット３１６、ブレードホルダ３３５、ブレード揺動支点３３１、リフトアップ手段３４５、駆動力伝達手段３５３、単一の駆動源・駆動手段としてのモータ３６０から主に構成されている。以下、実施形態１と相違する点を中心に説明する。
ブレードホルダ３３５Ａは、実施形態１のブレードホルダ３３５と比較して、特有の形状を備えている点のみ相違する。図２１〜図２３等に示す変位機構３４０及びベルトユニット３１６の正面図においては、ブレードホルダ３３５Ａの形状範囲を明確にするため、断面ではないが故意にハッチを施して示す。帯電ブレード３３０の基端部は、実施形態１と同様に、その長手方向Ｙに渡りブレードホルダ３３５Ａに取り付け・固定されている。帯電ブレード３３０は、ブレードホルダ３３５Ａの両端部がブレード揺動支点３３１を中心として、各ユニット側板３５０に回動自在に支持されていることにより、揺動可能に構成されている。帯電ブレード３３０は、ブレードホルダ３３５Ａとユニット側板３５０との間に配設された図示しないバネにより、めくりベルト２０８と常に軽接触する向きに加圧されている。
【００５２】
リフトアップ手段３４５は、図１９等に示すように、外周部がギヤ３４５ａで形成された段付き扇形状の部材であり、めくりベルト駆動ローラ２２３の回転軸２２３ａに回動可能に支持される軸受部３４５ｂが一体的に形成されている。リフトアップ手段３４５は、軸受部３４５ｂを介して、めくりベルト駆動ローラ２２３の回転軸２２３ａを回動支点として所定の範囲で回動、即ち揺動するように回転軸２２３ａに支持されている。リフトアップ手段３４５は、図１９及び図２４に示すように、その一部が長手方向Ｙの内側に突き出した突出部３４６を備えている。この突出部３４６は、リフトアップ手段３４５の揺動時に、後述するように、帯電ブレード３３０のブレードホルダ３３５Ａの一部と、またベルトユニット側板３５０の一部と接触・係合するようになっている。なお、「係合」とは、係わり合うことを意味する。
【００５３】
モータ３６０は、図１９及び図２０等に示すように、走査ユニット２００Ｂの上記図示しない側板に取り付け・固定されている。モータ３６０の出力軸には、ウォーム３６１が取り付け・固定されている。モータ３６０は、パルス入力で駆動されるステッピングモータや、ＤＣモータが好ましく用いられる。
一方、モータ３６０取り付け部近傍の上記図示しない側板には、ギヤアッセンブリ３７０を回動可能に支持するギヤ支軸３７３が回動可能に支持されている。ギヤアッセンブリ３７０は、ギヤ支軸３７３の長手方向Ｙに止め輪(図示せず)により抜け止めがなされている。ギヤアッセンブリ３７０は、モータ３６０のウォーム３６１と常に噛み合う大径のウォームホイール３７２と、ウォームホイール３７２と同軸上に一体的に構成され、リフトアップ手段３４５のギヤ３４５ａと噛み合う小径ギヤ３７１とから構成されている。
上記のとおり、モータ３６０の駆動力をリフトアップ手段３４５に伝達する駆動力伝達手段３５３は、ウォーム３６１と、ギヤアッセンブリ３７０と、ギヤ３４５ａとから構成されている減速機構となっている。ウォーム３６１及びギヤアッセンブリ３７０で減速することにより、モータ３６０の負荷が低減でき、小型のモータで駆動可能になっている。
【００５４】
次に、変位機構３４０の動作を説明する。図２１に示すように、二点鎖線で示すリフトアップ手段３４５が原点位置にあるときは、帯電ブレード３３０の先端エッジ部３３０ａはめくりベルト２０８（ベルトユニット側板３５０に隠れて見えない）と接触状態にある。即ち、リフトアップ手段３４５が原点位置にあるとき、帯電ブレード３３０は接触位置を占め、且つ、ベルトユニット３１６は第２の位置を占めている。
この状態から、図１９等に示すモータ３６０の駆動により、駆動力伝達手段３５３を介して、図２１に示すように、リフトアップ手段３４５が回転軸２２３ａを中心として図２１中矢印で示す反時計回り方向に揺動する。この揺動により、先ず、図２２に示すように、リフトアップ手段３４５の突出部３４６が帯電ブレード３３０のブレードホルダ３３５Ａの一部３３５Ａａと接触・係合する。これにより、ブレードホルダ３３５Ａと共に帯電ブレード３３０がブレード揺動支点３３１を中心として時計回り方向に揺動・持ち上げられる。これにより、帯電ブレード３３０の先端エッジ部３３０ａがめくりベルト２０８から離間することで、帯電ブレード３３０は離間位置を占める。
更に、リフトアップ手段３４５が図２２中矢印で示す反時計回り方向に揺動すると、図２３に示すように、リフトアップ手段３４５の突出部３４６がベルトユニット側板３５０の一部３５０ｃと接触・係合する。これにより、ベルトユニット３１６が回転軸２２３ａを中心として反時計回り方向に揺動・持ち上げられる。即ち、図２３に示す状態では、帯電ブレード３３０は離間位置を占めた状態で、且つ、ベルトユニット３１６は第１の位置を占めることとなる。
【００５５】
上述の変位機構３４０の動作説明において、駆動源であるモータ３６０の駆動開始タイミング等は、上記したとおりの適切なタイミングで行われることは無論である。
【００５６】
上述したとおり、本実施形態では、変位機構３４０を構成するリフトアップ手段３４５のギヤ３４５ａと噛み合うギヤアッセンブリ３７０を備え、ギヤアッセンブリ３７０をモータ３６０で駆動することにより、リフトアップ手段３４５を揺動・変位させている。そして、最終的に帯電ブレード３３０のめくりベルト２０８からの離間・第２の揺動変位動作と、めくりベルト２０８を含むベルトユニット３１６の第１の位置への揺動・第１の変位動作との両変位動作を実現している。
【００５７】
めくりベルト２０８を含むベルトユニット３１６の停止位置決定は、例えば、図示しない位置決めセンサによりベルトユニット３１６の位置を検知して、モータ３６０の駆動を停止する方法でもよい。
【００５８】
また、小径ギヤ３７１とウォームホイール３７２との間に図示しないトルクリミッタを設けると共に、ベルトユニット３１６の上限位置と下限位置とを決める図示しないストッパを設けてもよい。これにより、ベルトユニット３１６が前記ストッパに当たった位置でギヤが空転するようにしてもよい。この方式では、上限・下限の位置決めセンサが不要で、機構の簡素化を図ることができる。
【００５９】
単一の駆動源・駆動手段としてのモータ３６０は、上記したとおりＤＣモータでもよいしステッピングモータでもよい。上限・下限位置での停止制御も、例えば下限位置を決めるセンサを設け、上限位置は所定のパルス分駆動して停止するような制御でもよい。
【００６０】
以上説明したとおり、本実施形態２によれば、実施形態１と同様の効果を奏することは無論である。更に本実施形態２によれば、第２の変位動作と第１の変位動作とを時間差を設けた上で、単一の駆動源を備えた単一の変位手段で実現できるため、帯電ブレードのカウンター方向での接触を避けることができ、構成の簡素化に寄与することができる。
【００６１】
上記実施形態１及び２において、図１４で詳述したとおり、頁めくり動作開始時は通常、走査ユニットが停止状態で行う。この状態ではめくりベルト駆動ローラの回転軸は停止している。この状態で、ベルトユニットをめくりベルト駆動ローラの回転軸を支点にして持ち上げるように揺動させると、めくりベルトは帯電ブレードに対しては僅かにカウンター方向に移動することになる。しかしながら、本実施形態１及び２では、帯電ブレードが先にめくりベルトから離れた後、ベルトユニットが持ち上げられるため、めくりベルトが帯電ブレードに対してカウンター方向に移動することはない。
【００６２】
以上本発明の好ましい実施の形態について説明したが、本発明はかかる特定の実施形態に限定されるものではなく、上述の説明で特に限定していない限り、特許請求の範囲に記載された本発明の趣旨の範囲内において、種々の変形・変更が可能である。例えば、上記実施形態１と実施形態２とを適宜組み合わせた構成や動作であってもよい。
【００６３】
実施形態１及び２では、本原稿頁めくり装置と、原稿台上に見開かれて載置された本原稿の原稿面上を逆方向に露光走査して本原稿面の画像を読み取る本原稿読取手段とを備える本原稿頁めくり読取装置について説明したが、本発明は、これに限定されない。即ち、本発明は、本原稿頁めくり装置のみであってもよい。このような装置構成の場合、本原稿面の画像の読み取りは、例えば別途別体で設けられている画像読取装置で行うようなことが想定される。
【００６４】
本発明の実施の形態に記載された効果は、本発明から生じる最も好適な効果を列挙したに過ぎず、本発明による効果は、本発明の実施の形態に記載されたものに限定されるものではない。
【符号の説明】
【００６５】
１    原稿台
３０  スキャナユニット
１０１    ＣＣＤ（本原稿読取手段の構成要素）
１０６    スキャナモータ（ベルト駆動手段の構成要素）
２００，２００Ａ，２００Ｂ    走査ユニット（ユニットの一例）
２０１，２０２    蛍光灯（本原稿読取手段の構成要素）
２０５    プラテンガラス（本原稿読取手段の構成要素）
２０８    めくりベルト（頁めくり手段を構成するベルト状部材の一例）
２１４    頁めくりセンサ
２１６    レンズ（本原稿読取手段の構成要素）
２１９    第１ミラー（本原稿読取手段の構成要素）
２２０    第２ミラー（本原稿読取手段の構成要素）
２２１    第３ミラー（本原稿読取手段の構成要素）
２２３    めくりベルト駆動ローラ（頁めくり手段を構成するベルト支持手段の一例）
２２４    めくりローラ（頁めくり手段を構成するベルト支持手段の一例）
２２７，２２８    頁ガイド
２３１    駆動ラック
２５０    頁送りローラ（頁保持手段の一例）
２５３    高圧電源
２８１ａ，２８１ｂ    原稿押えローラ
２８２ａ，２８２ｂ    原稿押えシート
３０１    モータプーリ（ベルト駆動手段の構成要素）
３０２    ３段プーリ（ベルト駆動手段の構成要素）
３０４,３０５    プーリ（ベルト駆動手段の構成要素）
３０６    ２段プーリ（ベルト駆動手段の構成要素）
３１０，３１１，３１２，３１３    タイミングベルト（ベルト駆動手段の構成要素）
３１６    ベルトユニット（頁めくり手段の構成要素）
３１７    帯電ブレード変位機構（第２の変位手段、吸着力付与手段用変位手段、接離手段）
３２０    ソレノイド（第２の変位手段の駆動源・駆動手段）
３３０    帯電ブレード（ブレード状の吸着力付与手段の一例）
３３０ａ    帯電ブレードの先端エッジ部
３２５    上昇レバー
３２６    支点軸
３３１    ブレード揺動支点
３３５，３３５Ａ    ブレードホルダ
３３７    ベルトユニット変位機構（第１の変位手段、ベルト支持手段用変位手段）
３３９    ソレノイド（第１の変位手段の駆動源・駆動手段）
３４０    単一の変位機構（単一の変位手段の一例）
３４５    
３４６    突出部
３５０    ベルトユニット側板
３５３    駆動力伝達手段
３６０    モータ（単一の駆動源の一例）
３６１    ウォーム
３７２    ウォームホイール
３７０    ギヤアッセンブリ
３７１    小径ギヤ
ＢＯ    本原稿
ＢＯａ    本原稿の綴じ部
Ｙ    長手方向
Ｘａ    頁めくり方向（一方向）
Ｘｂ    露光方向（逆方向）
【先行技術文献】
【特許文献】
【００６６】
【特許文献１】特許第３３４４７８９号公報
【特許文献２】特開２０１３−２４９１５４号公報
【図１】
2015221546.tif 000003
【図２】
2015221546.tif 000004
【図３】
2015221546.tif 000005
【図４】
2015221546.tif 000006
【図５】
2015221546.tif 000007
【図６】
2015221546.tif 000008
【図７】
2015221546.tif 000009
【図８】
2015221546.tif 000010
【図９】
2015221546.tif 000011
【図１０】
2015221546.tif 000012
【図１１】
2015221546.tif 000013
【図１２】
2015221546.tif 000014
【図１３】
2015221546.tif 000015
【図１４】
2015221546.tif 000016
【図１５】
2015221546.tif 000017
【図１６】
2015221546.tif 000018
【図１７】
2015221546.tif 000019
【図１８】
2015221546.tif 000020
【図１９】
2015221546.tif 000021
【図２０】
2015221546.tif 000022
【図２１】
2015221546.tif 000023
【図２２】
2015221546.tif 000024
【図２３】
2015221546.tif 000025
【図２４】
2015221546.tif 000026
【図２５】
2015221546.tif 000027